(57)【要約】【課題】  無線にて映像データの送受を行う際、通信環境の影響を受けることなく、重要映像を良好に出力できるようにする。【解決手段】  本発明のシステムでは、カメラ内蔵の各監視装置が、情報処理装置により設定された画質設定値に対応するビットレートで、カメラからの入力信号を符号化し、映像データを生成する。そして、これを含む動画データを、無線通信にて情報処理装置に送信する。情報処理装置は、各監視装置から受信した動画データを、再生処理して、映像を表示する（Ｓ２７０）。また、特定の監視装置から受信した動画データの伝送過程における劣化の程度により、受信状態の良否を判定し（Ｓ２５０）、受信状態が良くない場合には、状態が良いと判定されるまで、繰返し低画質化処理を実行し（Ｓ２６０）、画質設定値を１段階下げるように指示する設定コマンドを、特定の監視装置以外の各監視装置に送信する。【選択図】  図６
2006311520.tif 000002
【特許請求の範囲】
【請求項１】
撮影装置に接続された、無線通信手段を備える端末装置、
を複数備えると共に、
前記各端末装置と無線通信可能な無線通信手段を備える情報処理装置、
を備える通信システムであって、
前記各端末装置は、
自装置に接続された撮影装置からの入力信号に基づき、予め設定されたビットレートの映像データを生成し、生成した映像データを順次、自装置内蔵の前記無線通信手段を介して、前記情報処理装置に送信する生成送信手段、
を備え、
少なくとも予め定められた特定の端末装置を除く前記各端末装置は、
前記情報処理装置から送信される設定指令信号を、自装置内蔵の前記無線通信手段を介して受信すると、受信した設定指令信号に従って、自装置における前記ビットレートの設定値を変更する設定変更手段、
を備え、
前記情報処理装置は、
前記各端末装置から送信される映像データを、自装置内蔵の前記無線通信手段を介して受信し、受信した映像データを順次、再生処理して、前記映像データに基づく映像を、表示装置に出力する受信再生手段と、
前記受信再生手段が前記特定の端末装置から受信する映像データの受信状態の良否を、判定する判定手段と、
前記判定手段にて前記受信状態が良くないと判定されると、ビットレートの設定値を下げるように指示する設定指令信号を、自装置内蔵の前記無線通信手段を介して、前記特定の端末装置を除く各端末装置に、送信する設定修正手段と、
を備えることを特徴とする通信システム。
【請求項２】
前記受信再生手段は、前記表示装置の出力画面を区画化して、前記各端末装置から受信した映像データに基づく映像を、同時表示する構成にされ、前記特定の端末装置から受信した映像データに基づく映像を表示するための区画を、他の端末装置から受信した映像データに基づく映像を表示するための区画よりも広く設定する構成にされていることを特徴とする請求項１記載の通信システム。
【請求項３】
前記設定修正手段は、前記判定手段にて前記受信状態が良くないと判定されると、前記判定手段にて前記受信状態が良いと判定されるまで、前記ビットレートの設定値を下げるように指示する設定指令信号を、段階的に、前記特定の端末装置を除く各端末装置に対して送信する構成にされていることを特徴とする請求項１又は請求項２記載の通信システム。
【請求項４】
前記情報処理装置に、
前記各端末装置にてビットレートの設定変更が行われていない状態で、所定時間、前記判定手段にて前記受信状態が良いと判定され続けると、初期値を超えない範囲で、前記ビットレートの設定値を上げるように指示する設定指令信号を、自装置内蔵の前記無線通信手段を介して、前記特定の端末装置を除く各端末装置に送信する設定復元手段、
を設けたことを特徴とする請求項１〜請求項３のいずれかに記載の通信システム。
【請求項５】
前記設定復元手段は、前記各端末装置にてビットレートの設定変更が行われていない状態で、所定時間、前記判定手段にて前記受信状態が良いと判定され続けることにより、設定指令信号の送信タイミングが到来する度に、前記設定指令信号として、前記ビットレートの設定値を、一段階上げるように指示する設定指令信号を、自装置内蔵の前記無線通信手段を介して、前記特定の端末装置を除く各端末装置に送信する構成にされていることを特徴とする請求項４記載の通信システム。
【請求項６】
撮影装置に接続された、無線通信手段を備える端末装置、の複数と無線通信可能な無線通信手段を備える情報処理装置であって、
前記各端末装置は、
自装置に接続された撮影装置からの入力信号に基づき、予め設定されたビットレートの映像データを生成し、生成した映像データを順次、自装置内蔵の前記無線通信手段を介して、前記情報処理装置に送信する生成送信手段、
を備え、
少なくとも予め定められた特定の端末装置を除く前記各端末装置は、
前記情報処理装置から送信される設定指令信号を、自装置内蔵の前記無線通信手段を介して受信すると、受信した設定指令信号に従って、自装置における前記ビットレートの設定値を変更する設定変更手段、
を備え、
当該情報処理装置は、
前記各端末装置から送信される映像データを、自装置内蔵の前記無線通信手段を介して受信し、受信した映像データを順次、再生処理して、前記映像データに基づく映像を、表示装置に出力する受信再生手段と、
前記受信再生手段が前記特定の端末装置から受信する映像データの受信状態の良否を、判定する判定手段と、
前記判定手段にて前記受信状態が良くないと判定されると、ビットレートの設定値を下げるように指示する設定指令信号を、自装置内蔵の前記無線通信手段を介して、前記特定の端末装置を除く各端末装置に、送信する設定修正手段と、
を備えることを特徴とする情報処理装置。
【請求項７】
請求項６記載の情報処理装置における前記受信再生手段、前記判定手段、及び、前記設定修正手段としての機能を、コンピュータに実現させるためのプログラム。
【発明の詳細な説明】
【技術分野】
【０００１】
本発明は、撮影装置に接続された端末装置の複数と、各端末装置と通信可能な情報処理装置と、を備える通信システムに関する。
【背景技術】
【０００２】
従来より、通信システムとしては、監視対象を撮影するための撮影装置を内蔵する端末装置と、この端末装置にて生成された映像データを受信して再生処理し、この映像データが表す映像を、表示装置に出力する情報処理装置と、からなるシステムが知られている。
【０００３】
また、この種の通信システムとしては、複数の端末装置を備え、情報処理装置が、各端末装置にて生成された映像データの夫々を、並列受信して、これらを再生処理し、各端末装置が撮影する監視対象の映像を、表示装置に同時表示するものが知られている（例えば、特許文献１参照）。上記通信システムでは、映像データの送受信時に、ネットワークトラフィックが大きいと、映像データの受信遅れが発生するため、ネットワークトラフィックに応じて、映像データのフレームレート等を設定することが行われている。
【０００４】
また、通信方式としては、有線及び無線の方式が知られ、無線通信システムとしては、ノイズ環境に応じて、変調速度や、変調方式を設定し、データ伝送速度を自動的に切り替えるものが知られている（例えば、特許文献２参照）。
【特許文献１】特開２００３−１６３９１４号公報
【特許文献２】特開２００２−２９０４１７号公報
【発明の開示】
【発明が解決しようとする課題】
【０００５】
ところで、従来システムでは、映像データを送受信する際、ネットワークトラフィックに応じて、各端末装置に対しフレームレート等を設定する程度であるため、同時表示されている映像の一つが、ユーザにとって重要な映像であって、他の映像は重要でない場合でも、各映像の画質が、フレームレートの低下により、一律に低下するといった問題があった。
【０００６】
本発明は、こうした問題に鑑みなされたものであり、無線通信にて映像データの送受信を行う通信システムにおいて、通信環境の変動の影響をあまり受けることなく良好に、重要映像を出力することが可能な技術を提供することを目的とする。
【課題を解決するための手段】
【０００７】
かかる目的を達成するためになされた請求項１記載の通信システムは、
撮影装置に接続された、無線通信手段を備える端末装置、
を複数備えると共に、
前記各端末装置と無線通信可能な無線通信手段を備える情報処理装置、
を備える通信システムであって、
前記各端末装置は、
自装置に接続された撮影装置からの入力信号に基づき、予め設定されたビットレートの映像データを生成し、生成した映像データを順次、自装置内蔵の前記無線通信手段を介して、前記情報処理装置に送信する生成送信手段、
を備え、
少なくとも予め定められた特定の端末装置を除く前記各端末装置は、
前記情報処理装置から送信される設定指令信号を、自装置内蔵の前記無線通信手段を介して受信すると、受信した設定指令信号に従って、自装置における前記ビットレートの設定値を変更する設定変更手段、
を備え、
前記情報処理装置は、
前記各端末装置から送信される映像データを、自装置内蔵の前記無線通信手段を介して受信し、受信した映像データを順次、再生処理して、前記映像データに基づく映像を、表示装置に出力する受信再生手段と、
前記受信再生手段が前記特定の端末装置から受信する映像データの受信状態の良否を、判定する判定手段と、
前記判定手段にて前記受信状態が良くないと判定されると、ビットレートの設定値を下げるように指示する設定指令信号を、自装置内蔵の前記無線通信手段を介して、前記特定の端末装置を除く各端末装置に、送信する設定修正手段と、
を備えることを特徴とする。
【０００８】
また、請求項２記載の通信システムは、
前記受信再生手段が、前記表示装置の出力画面を区画化して、前記各端末装置から受信した映像データに基づく映像を、同時表示する構成にされ、前記特定の端末装置から受信した映像データに基づく映像を表示するための区画を、他の端末装置から受信した映像データに基づく映像を表示するための区画よりも広く設定する構成にされていることを特徴とする。
【０００９】
また、請求項３記載の通信システムは、
前記設定修正手段が、前記判定手段にて前記受信状態が良くないと判定されると、前記判定手段にて前記受信状態が良いと判定されるまで、前記ビットレートの設定値を下げるように指示する設定指令信号を、段階的に、前記特定の端末装置を除く各端末装置に対して送信する構成にされていることを特徴とする。
【００１０】
また、請求項４記載の通信システムは、
前記情報処理装置に、
前記各端末装置にてビットレートの設定変更が行われていない状態で、所定時間、前記判定手段にて前記受信状態が良いと判定され続けると、初期値を超えない範囲で、前記ビットレートの設定値を上げるように指示する設定指令信号を、自装置内蔵の前記無線通信手段を介して、前記特定の端末装置を除く各端末装置に送信する設定復元手段、
を設けたことを特徴とする。
【００１１】
また、請求項５記載の通信システムは、
前記設定復元手段が、前記各端末装置にてビットレートの設定変更が行われていない状態で、所定時間、前記判定手段にて前記受信状態が良いと判定され続けることにより、設定指令信号の送信タイミングが到来する度に、前記設定指令信号として、前記ビットレートの設定値を、一段階上げるように指示する設定指令信号を、自装置内蔵の前記無線通信手段を介して、前記特定の端末装置を除く各端末装置に送信する構成にされていることを特徴とする。
【００１２】
また、請求項６記載の情報処理装置は、
撮影装置に接続された、無線通信手段を備える端末装置、の複数と無線通信可能な無線通信手段を備える情報処理装置であって、
前記各端末装置は、
自装置に接続された撮影装置からの入力信号に基づき、予め設定されたビットレートの映像データを生成し、生成した映像データを順次、自装置内蔵の前記無線通信手段を介して、前記情報処理装置に送信する生成送信手段、
を備え、
少なくとも予め定められた特定の端末装置を除く前記各端末装置は、
前記情報処理装置から送信される設定指令信号を、自装置内蔵の前記無線通信手段を介して受信すると、受信した設定指令信号に従って、自装置における前記ビットレートの設定値を変更する設定変更手段、
を備え、
当該情報処理装置は、
前記各端末装置から送信される映像データを、自装置内蔵の前記無線通信手段を介して受信し、受信した映像データを順次、再生処理して、前記映像データに基づく映像を、表示装置に出力する受信再生手段と、
前記受信再生手段が前記特定の端末装置から受信する映像データの受信状態の良否を、判定する判定手段と、
前記判定手段にて前記受信状態が良くないと判定されると、ビットレートの設定値を下げるように指示する設定指令信号を、自装置内蔵の前記無線通信手段を介して、前記特定の端末装置を除く各端末装置に、送信する設定修正手段と、
を備えることを特徴とする。
【００１３】
また、請求項７記載のプログラムは、請求項６記載の情報処理装置における前記受信再生手段、前記判定手段、及び、前記設定修正手段としての機能を、コンピュータに実現させるためのプログラムである。
【発明の効果】
【００１４】
請求項１記載の通信システムでは、特定の端末装置から送信される映像データの受信状態の良否を判定し、受信状態が良くない場合には、特定の端末装置を除く各端末装置のビットレートを下げるように、各端末装置を制御するので、ノイズ等で通信環境が悪化した場合であっても、上記ビットレートの調整により、受信側の情報処理装置は、各端末装置から送信される映像データを良好に受信することができ、特定の端末装置から送信される映像データの映像については、画質を落とさず出力（表示）することができる。
【００１５】
周知のように、無線通信方式では、ノイズ等によって通信環境が悪化すると、単位時間当たりに伝送可能なデータ量が低下するため、生成する映像データのビットレートを固定化すると、映像データの一部が欠落した状態で再生処理が行われることになって、良好な映像表示を行うことができない。
【００１６】
しかしながら、これに対処するために、全ての端末装置における映像データのビットレートを一律に下げてしまうと、ビットレートの低下に応じて、受信すべきデータの総量が減少し、受信データの欠落を抑制することができるものの、全ての端末装置に対応する再生映像の画質が劣化してしまう。即ち、全ての端末装置における映像データのビットレートを一律に下げてしまうと、重要な対象を撮影する撮影装置の映像から、重要でない映像まで、一律に、良好な画質が得られなくなってしまうのである。
【００１７】
これに対し、請求項１記載の通信システムでは、映像データの受信状態が劣化した場合でも、特定の端末装置における映像データのビットレートを下げず、特定の端末装置以外の端末装置における映像データのビットレートを下げて、ノイズ等により低下した情報処理装置の受信能力に、各端末装置からの送信データの総量を適合させるため、特定の端末装置から送信される映像データを、通信環境が良い場合と同様に、良好に再生処理して、良好な画質で、再生映像を出力することができる。
【００１８】
従って、この発明によれば、重要な対象を撮影する撮影装置に接続された端末装置を、上記特定の端末装置とすることによって、通信環境の変動の影響を受けることなく、重要映像を良好に出力することが可能な通信システムを構築することができる。
【００１９】
尚、ビットレートは、例えば、量子化ビット、データ圧縮率、１秒間のフレーム数（フレームレート）等を変更することで下げることができる。また、判定手段は、受信再生手段が特定の端末装置から受信した映像データの受信量に基づき、受信状態の良否を判定する構成にされてもよいし、受信再生手段が特定の端末装置から受信した映像データの状態の良否を判定する構成にされてもよい。また、特定の端末装置から受信した映像データの状態の良否を判定する場合、判定手段は、受信した映像データを解析して、映像データの伝送過程における劣化の程度（例えば、データ欠落の程度）に基づき、特定の端末装置から受信した映像データの状態の良否を判定する構成にされるとよい。
【００２０】
その他、固定的に、単一の端末装置を、特定の端末装置と定める場合には、その端末装置に、情報処理装置からの設定指令信号に基づいて、ビットレートの設定変更を行う機能を設ける必要はないが、特定の端末装置を、ユーザの指令等により可変に定める場合には、特定の端末装置を含む全端末装置に、設定変更手段を設けると共に、スイッチや無線信号により、特定の端末装置を設定できるように、上記通信システムを構成するとよい。
【００２１】
また、本発明は、受信再生手段が、表示装置の出力画面を区画化し、各端末装置から受信した映像データに基づく映像を、同時表示する構成にされ、特定の端末装置から受信した映像データに基づく映像を表示するための区画を、他の端末装置から受信した映像データに基づく映像を表示するための区画よりも広く設定する通信システムに適用されるとよい（請求項２）。
【００２２】
複数の映像を、画面分割によって同時表示する場合には、重要映像の出力画面を、非重要映像の出力画面より広く設定することが、良く行われているが、この場合に、重要映像及び非重要映像の画質を同一設定にすると、出力画面を広く設定した分だけ、フレームサイズが大きくなるため、重要映像に対応する映像データの量が増大する。換言すると、フレームサイズが異なるのにもかかわらずビットレートを同一にする場合には、フレームサイズを大きくした分だけ、フレーム数等を下げなければならず、再生映像が、スムーズに物体の移動を描写できなくなって、再生映像の画質が低下する。
【００２３】
従って、出力画面のサイズを映像毎（端末装置毎）に変える場合には、ノイズ等で通信環境が悪化した場合に、各端末装置における映像データのビットレートを、一律に下げてしまうと、特定の端末装置に対応する再生映像の画質が、他の端末装置に対応する再生映像よりも大きく悪化してしまい、出力画面を広く設定した意味が薄れてしまう。
【００２４】
これに対し、請求項２記載の通信システムによれば、特定の端末装置における映像データのビットレートを下げることなく、他の端末装置における映像データのビットレートを下げ、通信環境悪化の影響を緩和するので、特定の端末装置から受信した映像データに基づく映像を表示するための区画を、他の端末装置から受信した映像データに基づく映像を表示するための区画よりも広く設定しても、特定の端末装置に対応する映像を、良好な画質で出力することができる。
【００２５】
また、上記通信システムでは、判定手段によって受信状態が良くないと判定された場合に、特定の端末装置以外の各端末装置のビットレートをただちに最低値まで下げるようにしてもよいが、ビットレートを最低値までただちに下げると、必要以上に、特定の端末装置以外の各端末装置に対応する再生映像の画質が低下してしまう可能性がある。従って、上記通信システムにおいては、設定修正手段を、請求項３記載のように構成するとよい。
【００２６】
請求項３記載のように、段階的にビットレートの設定値を下げるようにすれば、ビットレートの下げ幅を、必要最小限に収めて、各端末装置の映像データを良好に受信・再生することができる。従って、請求項３記載の通信システムによれば、判定手段にて受信状態が良くないと判定された場合に、特定の端末装置以外の各端末装置における映像データのビットレートを、ただちに最低値まで下げるよりも、各端末装置に対応する映像を、良好な画質で表示装置に出力することができる。
【００２７】
尚、設定修正手段は、各端末装置がビットレートを多段階設定可能な構成にされていることを前提として、判定手段にて上記受信状態が良くないと判定されると、受信状態が良いと判定されるまで、ビットレートの設定値を一段階下げるように指示する設定指令信号を、繰返し、特定の端末装置を除く各端末装置に対して送信する構成にされるとよい。
【００２８】
また、上記通信システムには、請求項４記載のように、一度下げたビットレートを、受信状態に応じて上げるための構成を導入すると便利である。ビットレートを固定した状態で、所定時間、判定手段にて上記受信状態が良いと判定された場合には、ノイズ等が消滅し通信環境が回復している可能性がある。従って、所定時間、特定の端末装置からの映像データの受信状態が良い場合には、一度下げた各端末装置のビットレートの設定値を上げるようにすれば、通信環境が良い状態である場合、映像を良好な画質にて、表示装置に出力することができる。従って、請求項４記載の通信システムによれば、通信環境に応じて、特定の端末装置以外の各端末装置に適切なビットレートを設定することができる。
【００２９】
但し、ビットレートを上げる際には、急激に、設定値を元の初期値に戻してしまうと、再び、受信状態が悪化して、ビットレートの設定値を下げる必要が生じ、映像データを良好に受信できない期間が長くなる可能性がある。従って、上記の設定復元手段は、請求項５記載のように構成されるとよい。
【００３０】
請求項５記載の通信システムでは、映像データを良好に受信することができている場合、所定時間が経過する度に、段階的にビットレートの設定値を上げるので、常時、通信環境に応じた適切なビットレートを、各端末装置に設定することができ、常時最適な画質にて、再生映像を、表示装置に出力することができる。
【００３１】
また、請求項６記載の情報処理装置によれば、特定の端末装置の映像データの受信状態に応じて、特定の端末装置以外の各端末装置のビットレートを変更するので、通信環境が悪化しても、特定の端末装置からの映像データを良好に受信して再生処理することができると共に、その映像を、良好な画質で表示装置に出力することができる。
【００３２】
また、請求項７記載のプログラムによれば、請求項６記載の発明と同様の効果を得ることができる。尚、上記プログラムには、請求項４記載の設定復元手段としての機能を、コンピュータに実現させるためのプログラムを、組み込むことができる。
【発明を実施するための最良の形態】
【００３３】
以下、本発明の実施例について、図面と共に説明する。図１は、本発明が適用された監視システム１の構成を表す説明図である。
本実施例の監視システム１は、監視対象を撮影する監視装置１０を複数個備えると共に、映像出力用の情報処理装置３０、及び、この情報処理装置３０と通信ケーブルＬＮを介して接続された無線通信装置５０を備える。
【００３４】
監視システム１を構成する各監視装置１０は、夫々同一構成にされ、監視対象を撮影するカメラ１１と、カメラ１１の周囲に設置されたマイクロフォン１２ａ及びスピーカ１２ｂと、カメラ１１から入力されるアナログの映像信号及びマイクロフォン１２ａから入力されるアナログの音声信号に基づき、ディジタル映像データ及びディジタル音声データを混合したディジタル動画データを生成するディジタル変換部１３と、マイクロコンピュータ等から構成される制御部１５と、情報処理装置３０に接続された無線通信装置５０と無線通信可能な無線通信回路部１７と、を備える。
【００３５】
制御部１５は、ディジタル変換部１３から入力されるディジタル動画データと、情報処理装置３０のアドレスを記した送信先情報と、当該監視装置１０のアドレスを記した送信元情報と、を格納した送信データを生成し、これを、無線通信回路部１７に入力する通信制御部１５ａを有し、無線通信回路部１７は、この通信制御部１５ａから入力される送信データを重畳させた無線信号を、アンテナから出力する。尚、無線通信方式としては、周知のＩＥＥＥ８０２．１１ｘ規格を採用することができ、通信プロトコルとしては、インターネットプロトコルを採用することができる。
【００３６】
また、通信制御部１５ａは、情報処理装置３０から送信されてくるディジタル音声データを、無線通信回路部１７を介して受信し、これをディジタル変換部１３に入力する構成にされている。
【００３７】
一方、ディジタル変換部１３は、周知のＭＰＥＧ（Moving Picture Expert Group）方式にて、カメラ１１からの入力信号を符号化し、ディジタル映像データを生成する構成にされている。
【００３８】
このディジタル変換部１３は、動画生成モードとして、第一モード及び第二モードを有し、第一モードで動作している場合、上記ディジタル映像データの生成と並行して、マイクロフォン１２ａからの入力信号を符号化し、ディジタル音声データを生成する。
【００３９】
そして、第一モードでは、上記生成したディジタル映像データ及びディジタル音声データを図示しない内蔵のマルチプレクサに入力して、ディジタル映像データ及びディジタル音声データを混合したディジタル動画データを生成し、これを通信制御部１５ａに入力する。また、第二モードでは、上記ディジタル音声データを生成せず、カメラ１１からの入力信号に基づき生成したディジタル映像データを、ディジタル動画データとして通信制御部１５ａに入力する。
【００４０】
また、ディジタル変換部１３は、通信制御部１５ａからディジタル音声データが入力されると、これをアナログの音声信号に変換して、スピーカ１２ｂに入力する。
その他、ディジタル変換部１３は、カメラ１１から入力される映像信号の符号化時のビットレート（所謂、符号化ビットレート）を変更可能な構成にされ、制御部１５により、設定部１３ａに設定された画質設定値に対応するビットレートにて、カメラ１１からの入力信号を符号化し、上記ディジタル映像データを生成する。具体的に、画質設定値は、値「１」〜「５」までの五段階の値をとり、本実施例のディジタル変換部１３は、画質設定値が大きい程、高ビットレートのディジタル映像データを生成する。
【００４１】
図２は、画質設定値と、ディジタル映像データ生成時のビットレート（符号化ビットレート）との関係を示した説明図である。
本実施例のディジタル変換部１３は、制御部１５により設定部１３ａに設定されたモード設定値が「１」である場合、上述の第一モードで動作して、後述する画面Ｇ１（図５参照）に対応するフレームサイズのディジタル映像データを生成する。一方、設定部１３ａに設定されたモード設定値が「２」である場合には、上述の第二モードで動作して、後述する画面Ｇ２〜Ｇ６に対応するフレームサイズのディジタル映像データを生成する。このため、本実施例では、同一の画質設定値で、画面Ｇ１に表示される映像の画質と、画面Ｇ２〜Ｇ６に表示される映像の画質とが一致するように、各モードで、異なるビットレートの映像データを生成する。
【００４２】
具体的に、モード設定値が「１」で、画質設定値が「１」である場合には、４Ａｋｂｐｓのディジタル映像データ（変数Ａとしては、例えば、Ａ＝６４を挙げることができる）を生成し、画質設定値が「２」である場合に、画質設定値が「１」である場合の倍のビットレートである８Ａｋｂｐｓのディジタル映像データを生成し、画質設定値が「５」である場合には、６４Ａｋｂｐｓのディジタル映像データを生成する。
【００４３】
また、モード設定値が「２」で、画質設定値が「１」である場合には、フレームサイズが第一モードの４分の１であるため、第一モードの４分の１のＡｋｂｐｓのディジタル映像データを生成し、画質設定値が「２」である場合には、２Ａｋｂｐｓのディジタル映像データを生成し、画質設定値が「５」である場合には、１６Ａｋｂｐｓのディジタル映像データを生成する。
【００４４】
尚、上記モード設定値及び画質設定値の変更は、監視装置１０において、制御部１５が実行する設定切替処理によって実現される。図３は、制御部１５が繰返し実行する設定切替処理を表すフローチャートである。
【００４５】
設定切替処理を開始すると、制御部１５は、情報処理装置３０から、モード設定値及び画質設定値を変更するように指示する設定コマンドを、無線通信回路部１７を介して受信するまで待機し（Ｓ１１０）、設定コマンドを受信すると、設定コマンドに付されたモード指定値及び画質指定値を解釈し、設定部１３ａのモード設定値を、その設定コマンドに付されたモード指定値と同一の値に変更すると共に、設定部１３ａの画質設定値を、上記設定コマンドに付された画質指定値と同一の値に変更する（Ｓ１２０）。その後、制御部１５は、設定変更が完了した旨の応答信号を、設定コマンドの送信元装置（情報処理装置３０）に、無線通信回路部１７を介して送信し（Ｓ１３０）、当該設定切替処理を一旦終了する。その後、再び、Ｓ１１０に移行する。
【００４６】
その他、無線通信装置５０は、時分割にて、各監視装置１０と同時に無線通信可能な構成にされている。情報処理装置３０は、この無線通信装置５０と接続され、無線通信装置５０を介して各監視装置１０と通信可能なインタフェース３１と、プログラムに従って各種演算処理を行うＣＰＵ３３と、ＣＰＵ３３によるプログラム実行時に作業領域として使用されるＲＡＭ３５と、ブートプログラム等を記憶するＲＯＭ３７と、ハードディスク装置３９と、液晶ディスプレイ等からなるスピーカ内蔵の表示部４１と、キーボードやポインティングデバイス、マイクロフォン等からなる入力部４３と、を備える。
【００４７】
また、情報処理装置３０は、ハードディスク装置３９に、後述する映像受信表示処理をＣＰＵ３３に実行させるためのプログラムや、タイマーとしての機能をＣＰＵ３３に実現させるためのプログラム、ユーザにより指定された画面Ｇ１〜Ｇ６の割り当てを示す画面設定情報、ユーザにより指定された画質設定値の初期値を示す画質初期設定情報、監視装置１０の個数Ｘを示す端末数設定情報、等を記憶している。
【００４８】
図４は、ハードディスク装置３９に記憶された画面設定情報を表す説明図であり、図５は、後述する映像受信表示処理によって、表示部４１の出力画面上に生成される映像表示ウィンドウＧ０の構成を表す説明図である。
【００４９】
図５に示すように、映像表示ウィンドウＧ０は、区画化された画面Ｇ１〜Ｇ６からなり、画面Ｇ１は、画面Ｇ２〜Ｇ６の４倍広く設定されている。即ち、映像表示ウィンドウＧ０は、大画面構成の画面Ｇ１と、小画面構成の画面Ｇ２〜Ｇ６と、の２種類・６個の画面を備えた構成にされている。
【００５０】
画面設定情報は、これら各画面Ｇ１〜Ｇ６毎に、その画面が割り当てられた監視装置１０の識別情報（アドレス）が記述されたものであり、情報処理装置３０は、この画面設定情報に基づき、映像受信表示処理によって、画面Ｇｉが割り当てられた監視装置１０からのディジタル動画データに基づく映像を、画面Ｇｉに表示する（i＝１，２，３，４，５，６）。そして、このような手法で、各監視装置１０が撮影した映像を、表示部４１の出力画面に同時表示する。
【００５１】
図６は、ＣＰＵ３３が実行する映像受信表示処理を表すフローチャートである。ＣＰＵ３３は、入力部４３から、映像受信表示処理の実行指示が入力されると、対応するプログラムを、ハードディスク装置３９から読み出し、このプログラムに従って、図６に示す映像受信表示処理を実行する。
【００５２】
映像受信表示処理を開始すると、ＣＰＵ３３は、まずＳ２１０にて、画質設定値の変更回数を示す画質変更カウンタＣＮＴをリセットし（即ち、ＣＮＴ＝０に設定し）、その後、映像表示ウィンドウＧ０を、表示部４１の出力画面上に生成する（Ｓ２１３）。また、Ｓ２１３の処理を終えると、Ｓ２１７に移行して、ハードディスク装置３９が記憶する端末数設定情報に基づき、その端末数設定情報が示す監視装置１０の個数Ｘを、パラメータｎに設定する（ｎ＝Ｘ）。
【００５３】
また、Ｓ２１７での処理を終えると、Ｓ２２０に移行し、ハードディスク装置３９が記憶する画面設定情報及び画質初期設定情報に基づき、各監視装置１０の初期設定を行う。具体的には、画質指定値として、画質初期設定情報が示す初期値を付し、モード指定値として、値「１」を付した設定コマンドを、インタフェース３１及び無線通信装置５０を介して、画面Ｇ１が割り当てられた監視装置１０に送信することにより、画面Ｇ１が割り当てられた監視装置１０の設定部１３ａに、モード設定値として、値「１」を設定すると共に、画質設定値として初期値を設定する。
【００５４】
その他、画質指定値として、画質初期設定情報が示す初期値を付し、モード指定値として、値「２」を付した設定コマンドを、インタフェース３１及び無線通信装置５０を介して、画面Ｇｉ（２≦ｉ≦Ｘ：ｉは自然数）が割り当てられた各監視装置１０に送信することにより、画面Ｇｉが割り当てられた各監視装置１０の設定部１３ａに、モード設定値として、値「２」を設定すると共に、画質設定値として初期値を設定する。
【００５５】
また、上述した手法でＸ個の各監視装置１０に対するモード及び画質設定が完了すると、ＣＰＵ３３は、各監視装置１０の設定部１３ａに設定した画質設定値を、現在の画質設定値Ｍｉ（ｉ＝１，２，…，Ｘ）として、ＲＡＭ３５に記憶する。
【００５６】
また、Ｓ２２０での処理を終えると、ＣＰＵ３３は、各監視装置１０から送信されてくるディジタル動画データを、無線通信装置５０及びインタフェース３１を介して受信し（Ｓ２３０）、所定量又は所定期間分のディジタル動画データを受信すると、その受信データを解析して（Ｓ２４０）、画面Ｇ１に対応する監視装置１０から受信したディジタル動画データが、再生処理するのに良好な状態であるか否かを、所定の基準に照らし合わせて、判定する（Ｓ２５０）。
【００５７】
具体的には、画面Ｇ１に対応する監視装置１０から受信したディジタル動画データにおいて欠落しているデータ（パケット）の量が所定量以上ある場合に、受信した上記ディジタル動画データが良好な状態ではないと判定し、それ以外の場合には、受信した上記ディジタル動画データが良好な状態であると判定する。即ち、本実施例では、画面Ｇ１に対応する監視装置１０から受信したディジタル動画データに基づいて、このディジタル動画データの伝送過程における劣化の程度（具体的には、データ（パケット）欠落の程度）により、受信したディジタル動画データの状態が「良好な状態である」か「良好な状態ではない」かのいずれかの判定を下すのである。尚、詳細な判定基準は、設計者により任意に決定可能である。
【００５８】
そして、受信したディジタル動画データの状態が良好な状態ではないと判断すると（Ｓ２５０でＮｏ）、ＣＰＵ３３は、Ｓ２６０に移行し、図７に示す低画質化処理を実行する。図７は、ＣＰＵ３３が実行する低画質化処理を表すフローチャートである。
【００５９】
低画質化処理を実行すると、ＣＰＵ３３は、画面Ｇｎが割り当てられた監視装置１０の現在の画質設定値Ｍｎが、最低値（即ち、値「１」）であるか否かを判断し（Ｓ３１０）、現在の画質設定値Ｍｎが最低値であると判断すると（Ｓ３１０でＹｅｓ）、Ｓ３５０に移行し、現在の画質設定値Ｍｎが、最低値ではないと判断すると（Ｓ３１０でＮｏ）、Ｓ３２０に移行する。
【００６０】
Ｓ３２０に移行すると、ＣＰＵ３３は、現在の画質設定値Ｍｎより１小さい値Ｍｎ−１を、画質指定値として付し、モード指定値として値「２」を付した設定コマンドを、インタフェース３１及び無線通信装置５０を介して、画面Ｇｎが割り当てられた監視装置１０に送信し、これによって、画面Ｇｎが割り当てられた監視装置１０における設定部１３ａに、現在の画質設定値Ｍｎよりも１段階小さい画質設定値Ｍｎ−１（換言すると、１段階低いビットレート）を設定する。また、設定変更が完了した旨の応答信号の受信後には、Ｓ３２５に移行し、更新後の画質設定値Ｍｎ−１を、画面Ｇｎが割り当てられた監視装置１０の現在の画質設定値Ｍｎとして記憶する（Ｍｎ←Ｍｎ−１）。
【００６１】
また、Ｓ３２５での処理を終えると、ＣＰＵ３３は、Ｓ３３０に移行し、画質変更カウンタＣＮＴを１加算し（ＣＮＴ←ＣＮＴ＋１）、その後、所定時間Ｔ０だけ計時するようにタイマー設定を行って、タイマーに、時間Ｔ０分のカウントダウンを開始させる（Ｓ３３５）。尚、Ｓ３３５の処理実行時に、既にタイマーが動作している場合には、タイマーを一旦リセットした後、所定時間Ｔ０だけ計時するようにタイマー設定を行う（Ｓ３３５）。
【００６２】
また、Ｓ３３５での処理を終えると、ＣＰＵ３３は、Ｓ３９０に移行し、パラメータｎが値「２」である（ｎ＝２）か否かを判断する。そして、ｎ＝２ではないと判断すると（Ｓ３９０でＮｏ）、Ｓ３９３にて、パラメータｎの値を１減算し（ｎ←ｎ−１）、ｎ＝２であると判断すると（Ｓ３９０でＹｅｓ）、Ｓ３９７にて、パラメータｎを、値Ｘに設定し（ｎ＝Ｘ）、その後、当該低画質化処理を終了する。
【００６３】
一方、Ｓ３５０に移行すると、ＣＰＵ３３は、画面Ｇ１以外の画面Ｇｉ（２≦ｉ≦Ｘ：ｉは自然数）が割り当てられた各監視装置１０の現在の画質設定値Ｍｉ（２≦ｉ≦Ｘ：ｉは自然数）が、全て最低値（即ち、値「１」）であるか否かを判断し、全て最低値ではないと判断すると（Ｓ３５０でＮｏ）、Ｓ３９０に移行し、全て最低値であると判断すると（Ｓ３５０でＹｅｓ）、Ｓ３６０に移行する。
【００６４】
また、Ｓ３６０に移行すると、ＣＰＵ３３は、画面Ｇ１が割り当てられた監視装置１０の現在の画質設定値Ｍ１が、最低値（即ち、値「１」）であるか否かを判断し、現在の画質設定値Ｍ１が最低値であると判断すると（Ｓ３６０でＹｅｓ）、当該低画質化処理を終了し、現在の画質設定値Ｍ１が、最低値ではないと判断すると（Ｓ３６０でＮｏ）、Ｓ３７０に移行する。
【００６５】
そして、Ｓ３７０に移行すると、ＣＰＵ３３は、現在の画質設定値Ｍ１より１小さい値Ｍ１−１を、画質指定値として付し、モード指定値として値「１」を付した設定コマンドを、インタフェース３１及び無線通信装置５０を介して、画面Ｇ１が割り当てられた監視装置１０に送信し、これによって、画面Ｇ１が割り当てられた監視装置１０における設定部１３ａに、現在の画質設定値Ｍ１よりも１段階小さい画質設定値Ｍ１−１（換言すると、１段階低いビットレート）を設定する。また、設定変更が完了した旨の応答信号の受信後には、Ｓ３７５に移行し、更新後の画質設定値Ｍ１−１を、画面Ｇ１が割り当てられた監視装置１０の現在の画質設定値Ｍ１として記憶する（Ｍ１←Ｍ１−１）。
【００６６】
また、Ｓ３７５での処理を終えると、Ｓ３８０に移行し、画質変更カウンタＣＮＴを１加算し（ＣＮＴ←ＣＮＴ＋１）、その後、所定時間Ｔ０だけ計時するようにタイマー設定を行って、タイマーに、時間Ｔ０分のカウントダウンを開始させる（Ｓ３８５）。その後、当該低画質化処理を終了する。尚、Ｓ３８５の処理実行時に、既にタイマーが動作している場合には、タイマーを一旦リセットした後、所定時間Ｔ０だけ計時するようにタイマー設定を行う（Ｓ３８５）。
【００６７】
また、Ｓ２６０にて上記低画質化処理を終了すると、ＣＰＵ３３は、入力部４３を通じてユーザから当該映像受信表示処理の終了指示が入力されているか否かを判断する（Ｓ２９５）。そして、終了指示が入力されていると判断すると（Ｓ２９５でＹｅｓ）、当該映像受信表示処理を終了し、終了指示が入力されていないと判断すると（Ｓ２９５でＮｏ）、Ｓ２３０に移行する。また、Ｓ２３０に移行すると、ＣＰＵ３３は、監視装置１０から送信されてくる続きのディジタル映像データを、無線通信装置５０及びインタフェース３１を介して受信し、その後、Ｓ２４０以降の処理を実行する。
【００６８】
また、Ｓ２５０にて、画面Ｇ１が割り当てられた監視装置１０から受信したディジタル動画データの状態が良好であると判断すると（Ｓ２５０でＹｅｓ）、ＣＰＵ３３は、各監視装置１０から受信したディジタル動画データを再生処理して、それらのディジタル動画データを、表示部入力用の再生信号に変換し、これを表示部４１に入力して、受信したディジタル動画データに基づく映像及び音声を、表示部４１に出力させる（Ｓ２７０）。
【００６９】
この際、ＣＰＵ３３は、映像表示ウィンドウＧ０における各画面Ｇ１〜Ｇ６に、対応する監視装置１０から受信したディジタル動画データに基づく映像が表示されるようにする。即ち、ＣＰＵ３３は、各監視装置１０から受信したディジタル動画データに基づく映像を、その監視装置１０に割り当てられた画面Ｇｉ（ｉ＝１，２，…Ｘ）に表示する。
【００７０】
また、Ｓ２７０での処理を終えると、ＣＰＵ３３は、画質変更カウンタＣＮＴがゼロであるか否かを判断し（Ｓ２８０）、画質変更カウンタＣＮＴがゼロであると判断すると（Ｓ２８０でＹｅｓ）、Ｓ２９５に移行し、画質変更カウンタＣＮＴがゼロではないと判断すると（Ｓ２８０でＮｏ）、Ｓ２８５に移行する。尚、本実施例では、低画質化処理にて、画質設定値を１段階下げる度に、画質変更カウンタＣＮＴを１加算し、後述する高画質化処理にて、画質設定値を１段階上げる度に、画質変更カウンタＣＮＴを１減算するので、画質変更カウンタＣＮＴがゼロである場合、各監視装置１０における設定部１３ａの画質設定値は、Ｓ２２０で設定した初期値と一致する。
【００７１】
また、Ｓ２８５に移行すると、ＣＰＵ３３は、タイマー値がゼロであるか否かを判断し、タイマー値がゼロではない（即ち、タイマー値がゼロより大きい値である）と判断すると（Ｓ２８５でＮｏ）、最後に監視装置１０に対する画質設定値の変更を行ってから、所定時間Ｔ０が経過していないとして、Ｓ２９５に移行し、タイマー値がゼロであると判断すると（Ｓ２８５でＹｅｓ）、最後に監視装置１０に対する画質設定値の変更を行ってから、所定時間Ｔ０が経過したとして、Ｓ２９０に移行し、図８に示す高画質化処理を実行する。図８は、ＣＰＵ３３が実行する高画質化処理を表すフローチャートである。
【００７２】
高画質化処理を開始すると、ＣＰＵ３３は、画面Ｇ１が割り当てられた監視装置１０の現在の画質設定値Ｍ１が、Ｓ２２０で設定した初期値であるか否かを判断し（Ｓ４１０）、画面Ｇ１が割り当てられた監視装置１０の現在の画質設定値Ｍ１が、初期値であると判断すると（Ｓ４１０でＹｅｓ）、Ｓ４４０に移行し、画面Ｇ１が割り当てられた監視装置１０の現在の画質設定値Ｍ１が、初期値ではないと判断すると（Ｓ４１０でＮｏ）、Ｓ４２０に移行する。
【００７３】
また、Ｓ４２０に移行すると、ＣＰＵ３３は、現在の画質設定値Ｍ１より１大きい値Ｍ１＋１を、画質指定値として付し、モード指定値として、値「１」を付した設定コマンドを、インタフェース３１及び無線通信装置５０を介し、画面Ｇ１が割り当てられた監視装置１０に送信することによって、その監視装置１０における設定部１３ａに、現在の画質設定値Ｍ１よりも１段階大きい画質設定値Ｍ１＋１（換言すると、１段階高いビットレート）を、設定する。そして、設定変更が完了した旨の応答信号の受信後には、Ｓ４２５に移行し、更新後の画質設定値Ｍ１＋１を、現在の画質設定値Ｍ１として、ＲＡＭ３５に記憶する（Ｍ１←Ｍ１＋１）。
【００７４】
また、Ｓ４２５での処理を終えると、ＣＰＵ３３は、Ｓ４３０に移行して、画質変更カウンタＣＮＴを１減算し（ＣＮＴ←ＣＮＴ−１）、その後、所定時間Ｔ０だけ計時するようにタイマー設定を行って、タイマーに、時間Ｔ０分のカウントダウンを開始させる（Ｓ４３５）。その後、当該高画質化処理を終了する。
【００７５】
一方、Ｓ４４０に移行すると、ＣＰＵ３３は、パラメータｎが値Ｘであるか否かを判断する。そして、ｎ＝Ｘではないと判断すると（Ｓ４４０でＮｏ）、Ｓ４４３にて、パラメータｎの値を１加算し（ｎ←ｎ＋１）、その後、Ｓ４５０に移行する。一方、ｎ＝Ｘであると判断すると（Ｓ４４０でＹｅｓ）、Ｓ４４７にて、パラメータｎを、値「２」に設定し（ｎ＝２）、その後、Ｓ４５０に移行する。
【００７６】
また、Ｓ４５０に移行すると、ＣＰＵ３３は、画面Ｇｎが割り当てられた監視装置１０の現在の画質設定値Ｍｎが、Ｓ２２０で設定した初期値であるか否かを判断し、現在の画質設定値Ｍｎが、初期値であると判断すると（Ｓ４５０でＹｅｓ）、当該高画質化処理を終了し、現在の画質設定値Ｍｎが、初期値ではないと判断すると（Ｓ４５０でＮｏ）、Ｓ４６０に移行する。
【００７７】
また、Ｓ４６０に移行すると、ＣＰＵ３３は、現在の画質設定値Ｍｎより１大きい値Ｍｎ＋１を、画質指定値として付し、モード指定値として、値「２」を付した設定コマンドを、インタフェース３１及び無線通信装置５０を介し、画面Ｇｎが割り当てられた監視装置１０に送信することによって、その監視装置１０における設定部１３ａに、現在の画質設定値Ｍｎよりも１段階大きい画質設定値Ｍｎ＋１（換言すると、１段階高いビットレート）を、設定する。そして、設定変更が完了した旨の応答信号の受信後には、Ｓ４６５に移行し、更新後の画質設定値Ｍｎ＋１を、現在の画質設定値Ｍｎとして、ＲＡＭ３５に記憶する（Ｍｎ←Ｍｎ＋１）。
【００７８】
また、Ｓ４６５での処理を終えると、ＣＰＵ３３は、Ｓ４７０に移行して、画質変更カウンタＣＮＴを１減算し（ＣＮＴ←ＣＮＴ−１）、その後、所定時間Ｔ０だけ計時するようにタイマー設定を行って、タイマーに、時間Ｔ０分のカウントダウンを開始させる（Ｓ４７５）。その後、当該高画質化処理を終了する。
【００７９】
このようにして、Ｓ２９０での高画質化処理を終えると、ＣＰＵ３３は、終了指示が入力されているか否かを判断し（Ｓ２９５）、終了指示が入力されていない場合には（Ｓ２９５でＮｏ）、Ｓ２３０に移行し、終了指示が入力されている場合には（Ｓ２９５でＹｅｓ）、当該映像受信表示処理を終了する。
【００８０】
以上、本実施例の監視システム１について説明したが、この監視システム１では、撮影装置としてのカメラ１１を内蔵する監視装置１０が、ディジタル変換部１３にて、カメラ１１からの入力信号を、設定部１３ａに設定された画質設定値に対応するビットレート（符号化ビットレート）で符号化し、ディジタル映像データを生成する。また、監視装置１０は、通信制御部１５ａ及び無線通信回路部１７（本発明の端末装置が内蔵する無線通信手段に相当）を通じて、このディジタル映像データを含むディジタル動画データを順次、情報処理装置３０に送信する。
【００８１】
その他、監視装置１０は、制御部１５にて設定切替処理を実行し、情報処理装置３０から送信される設定コマンド（本発明の設定指令信号に相当）を、無線通信回路部１７を介して受信すると（Ｓ１１０でＹｅｓ）、受信した設定コマンドに付された画質指定値に従って、設定部１３ａに画質を設定し、上記ビットレートを変更する（Ｓ１２０）。
【００８２】
また、情報処理装置３０は、各監視装置１０から送信されるディジタル動画データを、自身に接続された無線通信装置５０（本発明の情報処理装置が内蔵する無線通信手段に相当）を介して受信し（Ｓ２３０）、受信したディジタル動画データを順次、再生処理して、そのディジタル動画データに基づく映像を、表示部４１（本発明の表示装置に相当）に出力する（Ｓ２７０）。
【００８３】
また、情報処理装置３０は、受信したディジタル動画データを解析して、画面Ｇ１に対応する監視装置１０から受信したディジタル動画データ、の伝送過程における劣化の程度により、画面Ｇ１に対応するディジタル動画データの受信状態の良否を判定し（Ｓ２５０）、状態が良くないと判定すると（Ｓ２５０でＮｏ）、状態が良いと判定されるまで、繰返し低画質化処理を実行し（Ｓ２６０）、画質設定値を１段階下げるように指示する設定コマンド（現在の画質設定値より１小さい画質指定値を付した設定コマンド）を、無線通信装置５０を介して、画面Ｇ１に対応する監視装置１０以外の各監視装置１０に送信する（Ｓ３２０）。
【００８４】
これによって、情報処理装置３０は、画面Ｇ２〜Ｇ６に対応する各監視装置１０から送信されるディジタル動画データのビットレート（符号化ビットレート）を段階的に下げ、受信すべきディジタル動画データの総量を減少させる。
【００８５】
また、画面Ｇ１に対応する監視装置１０以外の各監視装置１０の画質設定値が最低値である場合には、画面Ｇ１に対応する監視装置１０に対し、画質設定値を１段階下げるように指示する設定コマンドを、無線通信装置５０を介して、状態が良いと判定されるまで繰返し送信することにより（Ｓ３７０）、画面Ｇ１に対応する監視装置１０から送信されるディジタル動画データのビットレートを段階的に下げ、受信すべきディジタル動画データの総量を減少させる。
【００８６】
このように、本実施例では、ノイズ等で通信環境が悪化して、各監視装置１０から単位時間当たりに受信可能なデータの総量が減少しても、画面Ｇ１以外の画面Ｇ２〜Ｇ６に対応する各監視装置１０のビットレートを優先的に下げて、無線通信装置５０の受信能力に、各監視装置１０から送信データの総量を適合させるため、データ欠落を防止して、各監視装置１０から送信されるディジタル動画データを、良好に受信・再生することができる。また、本実施例によれば、画面Ｇ１に表示する映像の画質を落とさずに済むので、良好な画質で画面Ｇ１に映像を表示することができる。
【００８７】
従って、ユーザは、画面設定情報を編集して、画面Ｇ１に、重要な対象を撮影する監視装置１０を割り当てれば、通信環境の変動の影響を受けることなく、常時安定的に、良好な画質で、重要映像を画面Ｇ１に表示させることができる。
【００８８】
また、本実施例では、映像表示ウィンドウＧ０にて、表示部４１の出力画面を区画化すると共に、画面Ｇ１を、他の画面Ｇ２〜Ｇ６より広く設定するため、重要映像を、良好な画質で、高解像度に表示することができる。
【００８９】
その他、本実施例によれば、段階的にビットレートを下げるので、ビットレートの下げ幅を、必要最小限に収めることができる。従って、本実施例によれば、受信データの状態が良くないと判定された場合に（Ｓ２５０でＮｏ）、ただちに画面Ｇ１に対応する監視装置１０以外の各監視装置１０のビットレートを最低値まで下げるよりも、良好な画質で各映像を表示部４１に出力することができる。
【００９０】
また、本実施例では、各監視装置１０にてビットレートの設定変更が行われていない状態で、画面Ｇ１に対応する受信データの状態が良いと判定され続けて（Ｓ２５０でＹｅｓ）、所定時間Ｔ０が経過する度に（Ｓ２８５でＹｅｓ）、高画質化処理を実行し（Ｓ２９０）、画質設定値を１段階上げるように指示する設定コマンド（現在の画質設定値より１大きい画質指定値を付した設定コマンド）を、無線通信装置５０を介して、各監視装置１０に送信する。これによって、情報処理装置３０は、各監視装置１０から送信されるディジタル動画データのビットレート（符号化ビットレート）を、初期値を超えない範囲で、段階的に上げ、映像出力時の画質を向上させる。
【００９１】
ビットレートを固定した状態で、所定時間Ｔ０、受信データの状態が良いと判定された場合には、通信環境が回復している可能性があるため、上述のようにビットレートを調整すれば、通信環境が良い状態である場合、各画面Ｇ１〜Ｇ６の映像を、最適な画質で、表示部４１に出力することができる。
【００９２】
尚、本発明の端末装置は、本実施例のカメラ１１を除く監視装置１０の内部回路に相当し、本発明の情報処理装置は、無線通信装置５０及び情報処理装置３０に相当する。また、生成送信手段は、ディジタル変換部１３及び通信制御部１５ａに相当し、設定変更手段は、設定切替処理にて実現されている。その他、受信再生手段は、Ｓ２３０，Ｓ２７０の処理にて実現され、判定手段は、Ｓ２４０，Ｓ２５０の処理にて実現され、設定修正手段は、低画質化処理（具体的には、Ｓ３１０〜Ｓ３５０，Ｓ３９０〜Ｓ３９７）により実現され、設定復元手段は、高画質化処理（具体的には、Ｓ４４０〜Ｓ４７５）により実現されている。
【００９３】
また、本発明の通信システム及び情報処理装置並びにプログラムは、上記実施例に限定されるものではなく、種々の態様を採ることができる。
例えば、上記実施例では、Ｓ２５０で状態が良くないと判定する度に、一段階ずつビットレートを下げるように監視システム１を構成したが、Ｓ２５０で状態が良くないと判定した場合には、状態の悪さを数値化し、その数値に応じて、ビットレートの下げ幅を決定し、数値に応じたビットレートを、各監視装置１０に設定するようにしてもよい。
【００９４】
その他、ビットレートの変更は、量子化ビットの変更、データ圧縮率の変更、１秒間当たりのフレーム数の変更、フレームサイズの変更等により実現することができるが、通信環境が悪化した場合には、画面Ｇ２〜Ｇ６のフレームサイズよりも小さいフレームサイズのディジタル映像データを、画面Ｇ２〜Ｇ６に対応する監視装置１０に生成させることで、画面Ｇ２〜Ｇ６に対応する監視装置１０から送信されるディジタル動画データのビットレートを下げるようにしてもよい。
【００９５】
また、情報処理装置３０に各画面Ｇ１〜Ｇ６の録画機能を設ける場合には、録画機能がオンにされていない画面Ｇ２〜Ｇ６、録画機能がオンにされている画面Ｇ２〜Ｇ６、画面Ｇ１の順に、画質設定値を下げるようにして、各監視装置１０からの送信データの総量を通信環境に適合させるとよい。このように監視システム１を構成すれば、録画対象の映像を、良好な画質で録画することができる。また、この監視システム１においては、録画機能がオフからオンに切り替えられた画面に対応する監視装置１０の画質設定値を上げるように、情報処理装置３０を構成してもよい。
【００９６】
その他、上記実施例では、監視システムに、本発明を適用した例を説明したが、本発明は、監視システムに限定されず、その他の通信システムに適用することができる。
【図面の簡単な説明】
【００９７】
【図１】本発明が適用された監視システム１の構成を表す説明図である。
【図２】画質設定値とビットレートとの関係を示した説明図である。
【図３】制御部１５が繰返し実行する設定切替処理を表すフローチャートである。
【図４】ハードディスク装置３９に記憶された画面設定情報を示す説明図である。
【図５】映像表示ウィンドウＧ０の構成を表す説明図である。
【図６】ＣＰＵ３３が実行する映像受信表示処理を表すフローチャートである。
【図７】ＣＰＵ３３が実行する低画質化処理を表すフローチャートである。
【図８】ＣＰＵ３３が実行する高画質化処理を表すフローチャートである。
【符号の説明】
【００９８】
１…監視システム、１０…監視装置、１１…カメラ、１３…ディジタル変換部、１３ａ…設定部、１５…制御部、１５ａ…通信制御部、１７…無線通信回路部、３０…情報処理装置、３１…インタフェース、３３…ＣＰＵ、３５…ＲＡＭ、３７…ＲＯＭ、３９…ハードディスク装置、４１…表示部、４３…入力部、５０…無線通信装置
【図１】
2006311520.tif 000003
【図２】
2006311520.tif 000004
【図３】
2006311520.tif 000005
【図４】
2006311520.tif 000006
【図５】
2006311520.tif 000007
【図６】
2006311520.tif 000008
【図７】
2006311520.tif 000009
【図８】
2006311520.tif 000010